(57)【要約】  条件選択部（ＣＳ）は、複数の遅延育成条件のデータのうちから少なくとも１つの遅延育成条件のデータを選択する。それにより、複数の遅延育成期間から選択された少なくとも１つの遅延育成期間が、入力部（３０１）によって入力された所望遅延期間または所望遅延期間の前後の選択され得る所望遅延期間に最も近い期間のいずれかになる。データ作成部（ＤＰ）は、標準育成条件のデータのうちの少なくとも一部が条件選択部（ＣＳ）によって選択された少なくとも１つの遅延育成条件のデータによって置き換えられた新育成条件のデータを作成する。
2016178314.tif 000002
【特許請求の範囲】
【請求項１】
植物の標準育成期間のデータ、および、前記標準育成期間で前記植物の育成を実現するための標準育成条件のデータを記憶した標準データ記憶部と、
それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部と、
前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部と、
前記標準育成条件のデータのうちの少なくとも一部が前記条件選択部によって選択された前記少なくとも１つの遅延育成条件のデータによって置き換えられた新育成条件のデータを作成するデータ作成部と、を備えた、植物育成データ作成装置。
【請求項２】
植物の標準育成期間のデータ、および、前記標準育成期間で前記植物の育成を実現するための標準育成条件のデータを記憶した標準データ記憶部と、
それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部と、
を備えたデータベースから得られた植物育成データを用いて新たな植物育成データを作成する植物育成データ作成装置であって、
前記植物育成データ作成装置は、
前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部と、
前記標準育成条件のデータのうちの少なくとも一部が前記条件選択部によって選択された前記少なくとも１つの遅延育成条件のデータによって置き換えられた新育成条件のデータを作成するデータ作成部と、を備えた、植物育成データ作成装置。
【請求項３】
前記標準データ記憶部は、前記植物の複数の育成ステージのそれぞれに分けて、複数の前記標準育成期間のデータ、および、複数の前記標準育成条件のデータを記憶しており、
前記遅延データ記憶部は、前記複数の育成ステージのそれぞれ毎に、前記複数の遅延育成期間のデータのうちの１以上の遅延育成期間のデータ、および、前記複数の遅延育成条件のデータのうちの１以上の遅延育成条件のデータを記憶しており、
前記条件選択部は、前記複数の育成ステージのうちのいずれかの育成ステージの前記標準育成期間を遅延させる場合には、前記いずれかの育成ステージの前記標準育成期間のデータに対応する前記１以上の遅延育成条件のデータのうちから、前記遅延育成条件を選択する、請求項１または２に記載の植物育成データ作成装置。
【請求項４】
前記条件選択部は、
現在の育成ステージが前記複数の育成ステージのうちのいずれの育成ステージであるのかを判定するステージ判定部を含み、
前記ステージ判定部によって判定された現在の育成ステージ以後の育成ステージに対応する１または２以上の遅延育成条件のデータのうちから前記少なくとも１つの遅延育成条件のデータを選択する、請求項３に記載の植物育成データ作成装置。
【請求項５】
前記複数の遅延育成条件のデータには、予め定められた優先順位が付与されており、
前記条件選択部は、前記複数の遅延育成条件のデータのうちから前記少なくとも１つの遅延育成条件のデータを、前記優先順位にしたがって選択する、請求項１〜４のいずれかに記載の植物育成データ作成装置。
【請求項６】
前記複数の遅延育成条件のデータは、それぞれの前記優先順位が同一である２種類以上の遅延育成条件のデータを含み、
前記条件選択部は、前記２種類以上の遅延育成条件データのそれぞれを順次選択するように構成されている、請求項５に記載の植物育成データ作成装置。
【請求項７】
前記条件選択部は、
前記遅延育成条件の通算使用期間が、前記植物の育成において使用され得る限界期間内のものであるか否かを判定する限界判定部を含み、
前記限界判定部によって前記遅延育成条件の通算使用期間が前記限界期間内のものであると判定された場合には、前記優先順位が同一である前記遅延育成条件のデータを繰り返して選択する、請求項５または６に記載の植物育成データ作成装置。
【請求項８】
それぞれが請求項１〜７のいずれかに記載の植物育成データ作成装置によって作成された前記新育成条件のデータを受信する少なくとも１つの環境制御部と、
前記少なくとも１つの環境制御部にそれぞれ対応して設けられ、それぞれが前記新育成条件のデータに基づいて前記環境制御部によって制御されることにより少なくとも１つの植物の周辺の環境を変更する少なくとも１つの環境変更機器と、を備えた、植物育成システム。
【請求項９】
前記少なくとも１つの植物のそれぞれは、根菜類であり、
前記少なくとも１つの環境変更機器のそれぞれは、前記根菜類の根が栽培槽内に貯留された水または養液に浸された状態で、前記根菜類を水耕栽培するためのものである、請求項８の記載の植物育成システム。
【請求項１０】
コンピュータを、
植物の標準育成期間のデータ、および、前記標準育成期間で前記植物の育成を実現するための標準育成条件のデータを記憶した標準データ記憶部、
それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部、
前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部、および、
前記標準育成条件のデータのうちの少なくとも一部が前記条件選択部によって選択された前記少なくとも１つの遅延育成条件のデータによって置き換えられた新育成条件のデータを作成するデータ作成部、として機能させる、植物育成データ作成プログラム。
【請求項１１】
植物の標準育成期間のデータ、および、前記標準育成期間で前記植物の育成を実現するための標準育成条件のデータを記憶した標準データ記憶部と、
それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部と、
を備えたデータベースから得られた植物育成データを用いて新たな植物育成データを作成するための植物育成データ作成プログラムであって、
コンピュータを、
前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部、および、
前記標準育成条件のデータのうちの少なくとも一部が前記条件選択部によって選択された前記少なくとも１つの遅延育成条件のデータによって置き換えられた新育成条件のデータを作成するデータ作成部、として機能させる、植物育成データ作成プログラム。
【発明の詳細な説明】
【技術分野】
【０００１】
本発明は、植物工場において植物を人工的に育成するための植物育成データ作成装置、植物育成システム、および植物育成データ作成プログラムに関する。
【背景技術】
【０００２】
植物工場における植物育成によれば、人工的に植物の周辺の雰囲気を最適な環境に制御するため、天然の植物育成に比較して、同一の期間内において安定した収穫を実現することができる。一方、人工の植物栽培においては、特許文献１に開示されているような天然栽培における収穫時期の調整はなされていない。
【先行技術文献】
【特許文献】
【０００３】
【特許文献１】特開２００９−２０７４８９号公報
【発明の概要】
【発明が解決しようとする課題】
【０００４】
従来においては、天然の植物育成においても、植物の育成者が希望する時期まで植物の収穫を遅延させる植物育成条件を決定する手法は確立されていない。したがって、従来の人工の植物育成においても、植物の育成者が希望する期間だけ植物育成期間の終期を遅延させるための植物育成条件を決定する具体的な手法は確立されていない。【０００５】
本発明は、このような従来技術の有する課題に鑑みてなされたものである。そして、本発明の目的は、植物の育成者が希望する期間だけ植物育成期間の終期を遅延させる植物育成条件を決定することができる植物育成データ作成装置、植物育成システム、および植物育成データ作成プログラムを提供することである。
【課題を解決するための手段】
【０００６】
上記課題を解決するために、本発明の第１の態様に係る植物育成データ作成装置は、  植物の標準育成期間のデータ、および、前記標準育成期間で前記植物の育成を実現するための標準育成条件のデータを記憶した標準データ記憶部と、それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部と、前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部と、前記標準育成条件のデータのうちの少なくとも一部が前記条件選択部によって選択された前記少なくとも１つの遅延育成条件のデータによって置き換えられた新育成条件のデータを作成するデータ作成部と、を備えている。【０００７】
本発明の第２の態様に係る植物育成データ作成装置は、植物の標準育成期間のデータ、および、前記標準育成期間で前記植物の育成を実現するための標準育成条件のデータを記憶した標準データ記憶部と、それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部と、を備えたデータベースから得られた植物育成データを用いて新たな植物育成データを作成する植物育成データ作成装置であって、前記植物育成データ作成装置は、前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部と、前記標準育成条件のデータのうちの少なくとも一部が前記条件選択部によって選択された前記少なくとも１つの遅延育成条件のデータによって置き換えられた新育成条件のデータを作成するデータ作成部と、を備えている。【０００８】
本発明の第３の態様に係る植物育成システムは、それぞれが前述の植物育成データ作成装置によって作成された前記新育成条件のデータを受信する少なくとも１つの環境制御部と、前記少なくとも１つの環境制御部にそれぞれ対応して設けられ、それぞれが前記新育成条件のデータに基づいて前記環境制御部によって制御されることにより少なくとも１つの植物の周辺の環境を変更する少なくとも１つの環境変更機器と、を備えている。【０００９】
本発明の第４の態様に係る植物育成データ作成プログラムは、コンピュータを、植物の標準育成期間のデータ、および、前記標準育成期間で前記植物の育成を実現するための標準育成条件のデータを記憶した標準データ記憶部、それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部、前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部、および前記標準育成条件のデータのうちの少なくとも一部が前記条件選択部によって選択された前記少なくとも１つの遅延育成条件のデータによって置き換えられた新育成条件のデータを作成するデータ作成部、として機能させる。【００１０】
本発明の第５の態様に係る植物育成データ作成プログラムは、植物の標準育成期間のデータ、および、前記標準育成期間で前記植物の育成を実現するための標準育成条件のデータを記憶した標準データ記憶部と、それぞれが前記標準育成期間の終期をいかなる期間だけ遅らせるのかを特定した複数の遅延育成期間のデータ、および、前記複数の遅延育成期間にそれぞれ対応する複数の遅延育成条件のデータを記憶した遅延データ記憶部と、を備えたデータベースから得られた植物育成データを用いて新たな植物育成データを作成する植物育成データ作成プログラムであって、コンピュータを、前記複数の遅延育成期間から選択された少なくとも１つの遅延育成期間が、入力部によって入力された所望遅延期間または前記所望遅延期間の前後の選択され得る前記所望遅延期間に最も近い期間のいずれかになるように、前記複数の遅延育成条件のデータのうちから少なくとも１つの遅延育成条件のデータを選択する条件選択部、および、前記標準育成条件のデータのうちの少なくとも一部が前記条件選択部によって選択された前記少なくとも１つの遅延育成条件のデータによって置き換えられた新育成条件のデータを作成するデータ作成部、として機能させる。
【発明の効果】
【００１１】
本発明によれば、植物の育成者が希望する期間だけ植物育成期間の終期を遅延させる植物育成条件を決定することができる。
【図面の簡単な説明】
【００１２】
【図１】本発明の実施の形態の植物育成システムの全体構成を説明するための模式図である。
【図２】本発明の実施の形態の植物育成装置の全体構成を説明するための模式図である。
【図３】本発明の実施の形態の植物育成データ作成装置の機能ブロック図である。
【図４】本発明の実施の形態の植物育成データ作成装置において用いられる標準データ記憶部に記憶された標準育成条件等のデータテーブルである。
【図５】本発明の実施の形態の植物育成データ作成装置において用いられる遅延データ記憶部に記憶された遅延育成条件等のデータテーブルである。
【図６Ａ】本発明の実施の形態の植物育成データ作成装置のコンピュータによって実行される新育成条件データテーブル作成処理を説明するためのフローチャートである。
【図６Ｂ】本発明の実施の形態の植物育成データ作成装置のコンピュータによって実行される新育成条件データテーブル作成処理を説明するためのフローチャートである。
【図７】所望遅延期間が３０日である場合の新育成条件データテーブルを作成するための考え方を説明するための図である。
【図８】本発明の実施の形態の植物育成データ作成装置のコンピュータによって実行される変形例２の新育成条件データテーブル作成処理を説明するためのフローチャートである。
【図９】本発明の実施の形態の植物育成データ作成装置のコンピュータによって実行される変形例３の新育成条件データテーブル作成処理を説明するためのフローチャートである。
【発明を実施するための形態】
【００１３】
以下、図面を参照しながら、実施の形態の植物育成データ作成装置、植物育成システム、および植物育成データ作成プログラムを説明する。
【００１４】
（植物育成システム）
図１に示されるように、実施の形態の植物育成システム１０００は、植物育成データ作成装置３００と複数の植物育成装置２００とを備えている。植物育成データ作成装置３００は、新育成条件のデータを作成するためのものである。植物育成装置２００は、植物育成データ作成装置３００によって作成された新育成条件のデータに基づいて、植物の周辺の環境を制御することにより、植物を育成するためのものである。
【００１５】
本実施の形態においては、植物育成データ作成装置３００は、汎用のパーソナルコンピュータである。植物育成データ作成装置３００は、キーボードまたはマウス等からなる入力部３０１を備えている。また、植物育成データ作成装置３００は、ＣＰＵ（Central Processing Unit）、ＲＯＭ（Read Only Memory）、およびＲＡＭ（Random Access Memory）等を内蔵したコンピュータ３０３を備えている。さらに、植物育成データ作成装置３００は、液晶ディスプレイ等からなる情報報知部３０２を備えている。植物育成データ作成装置３００は、ＵＳＢ（Universal Serial Bus）メモリ等の外部のコンピュータ読み取り可能な記録媒体４００から植物育成データ作成プログラムがインストールされたものである。
【００１６】
本実施の形態においては、入力部３０１および情報報知部３０２は、植物育成データ作成装置３００の一部を構成している。しかしながら、入力部３０１および情報報知部３０２は、植物育成データ作成プログラムがインストールされた植物育成データ作成装置３００を構成するコンピュータ３０３とは別に設けられた通信装置であってもよい。具体的に言うと、コンピュータ３０３は、クラウドコンピューティングにおいて用いられる情報資源サーバ内に設けられており、この情報資源サーバに植物育成データ作成プログラムが格納されていてもよい。この場合、ノートパソコンまたはタブレット端末等の携帯型の通信端末が入力部３０１および情報報知部３０２を有していてもよい。入力部３０１および情報報知部３０２は、無線またはインターネット等の通信網を利用して、コンピュータ３０３と相互通信を行う。それにより、植物育成データ作成プログラムがその機能を実現する。
【００１７】
（植物育成装置）
図２に示されるように、複数の植物育成装置２００のそれぞれは、その内部で植物１を個別に育成する。したがって、複数の植物育成装置２００のそれぞれは、その内部に植物１の周辺の環境を制御する環境制御部５０を備えている。本実施の形態においては、それぞれの環境制御部５０は、植物育成データ作成装置３００から同一の新育成条件のデータを受信するものとする。そのため、同一の新育成条件の下で複数の植物１を育成することができる。
【００１８】
これによれば、植物育成システム１０００によって育成される複数の植物１の全ての収穫期を実質的に同一にすることが可能になる。ただし、植物育成システム１０００は、複数の環境制御部５０は、それぞれ、植物育成データ作成装置３００から互いに異なる新育成条件のデータを受信するものであってもよい。
【００１９】
図２に示されるように、本実施の形態の植物育成装置２００の一例は、６面体構造のコンテナのような筐体１００を備えている。それにより、植物１は、筐体１００によって外部空間から遮断された空間内において成長する。本実施の形態の植物育成装置２００は、土壌を使用せずに植物１を栽培する、いわゆる水耕栽培装置である。
【００２０】
植物育成装置２００は、筐体１００内に栽培槽２０を備えている。植物１が栽培されているときは、栽培槽２０は、その内部に養液９を貯留している。養液９はポンプＰ等の潅水機器によって供給管２１を経由して栽培槽２０に供給される。養液９は、栽培槽２０の底面から上方へ延びる排水管２２から外部へ排出される。したがって、栽培槽２０内の養液９の高さは、栽培槽２０の底面から排水管２２の上端までの高さよりも低いかまたは同一になる。植物１の根４の先端が養液９に浸かっている。栽培槽２０は、その上端開口の近傍に取り付けられた地表面部２３を備えている。地表面部２３は、植物１が挿入される貫通孔２３ａを有している。貫通孔２３ａと植物１との間には、弾性部材２４が嵌め込まれている。
【００２１】
図２に示されるように、実施の形態の植物育成システム１０００は、環境制御部５０と、環境変更機器（３０，３５，４０，４５，６０，６５，７０，８０，９０，９５，９８，Ｂ，Ｐ）とを備えている。
【００２２】
本実施の形態の植物育成装置２００は、環境変更機器として、照明機器３０、ＥＣ値変更材料投入機器３５、空調機４０、ｐＨ値変更材料投入機器４５、およびボイラＢ、およびポンプＰを備えている。空調機４０は、雰囲気温度および雰囲気湿度の双方を制御することができる。本実施の形態の植物育成装置２００は、環境変更機器として、雰囲気温度センサ６０、照度センサ６５、湿度センサ７０、および二酸化炭素濃度センサ８０を備えている。本実施の形態の植物育成装置２００は、環境変更機器として、養液温度センサ９０、ＥＣ（Electric Conductivity）センサ９５、およびｐＨセンサ９８を備えている。
【００２３】
ただし、環境変更機器は、前述のもののうちのいずれか１つであってもよい。また、本実施の形態の環境変更機器は、養液９または水を貯留している栽培槽２０を有している水耕栽培装置によって栽培される植物１の周辺の環境を変更するものである。本実施の形態においては、栽培される植物１は、根菜類の一例のジャガイモであるものとする。
【００２４】
雰囲気温度センサ６０、照度センサ６５、湿度センサ７０、および二酸化炭素濃度センサ８０により検出された情報は、後述される環境制御部５０に送信される。また、養液温度センサ９０、ＥＣセンサ９５、およびｐＨセンサ９８により検出された情報も、環境制御部５０に送信される。
【００２５】
環境制御部５０は、上述の複数のセンサから送られてきた検出情報を受けて、照明機器３０、ＥＣ値変更材料投入機器３５、空調機４０、ｐＨ値変更材料投入機器４５、ポンプＰ、およびボイラＢを制御する。環境制御部５０は、植物育成データ作成装置３００から送信されたデータによって特定される新育成条件が満たされるように、環境変更機器としての照明機器３０、ＥＣ値変更材料投入機器３５、および空調機４０のそれぞれを制御する。環境制御部５０は、植物育成データ作成装置３００から送信されたデータによって特定される新育成条件が満たされるように、環境変更機器としてのｐＨ値変更材料投入機器４５、ポンプＰ、およびボイラＢのそれぞれを制御する。
【００２６】
その結果、環境変更機器は、新育成条件が満たされるように、新育成条件データに基づいて植物１の周辺の環境を変更する。それにより、その新育成条件の下での植物１の育成が実現される。
【００２７】
（コンピュータにより構成される機能ブロック）
図３に示されるように、実施の形態の植物育成データ作成装置３００は、標準データ記憶部ＮＤＢ、遅延データ記憶部ＤＤＢ、条件選択部ＣＳ、およびデータ作成部ＤＰを備えている。本実施の形態においては、標準データ記憶部ＮＤＢおよび遅延データ記憶部ＤＤＢは、条件選択部ＣＳおよびデータ作成部ＤＰと同一のハードウエア内に設けられている。
【００２８】
ただし、標準データ記憶部ＮＤＢおよび遅延データ記憶部ＤＤＢは、条件選択部ＣＳおよびデータ作成部ＤＰとは物理的に分離されたハードウエア内に設けられていてもよい。たとえば、条件選択部ＣＳおよびデータ作成部ＤＰは、インターネットまたは無線回線を経由して、標準データ記憶部ＮＤＢおよび遅延データ記憶部ＤＤＢからデータを取得してもよい。
【００２９】
条件選択部ＣＳおよびデータ作成部ＤＰは、植物育成データ作成プログラムに基づいて、標準データ記憶部ＮＤＢの標準育成条件のデータおよび遅延データ記憶部ＤＤＢから遅延育成条件等のデータを取得する。条件選択部ＣＳおよびデータ作成部ＤＰは、取得されたデータを用いて、植物育成データ作成プログラムに基づく処理を実行するコンピュータ３０３である。
【００３０】
植物育成データ作成プログラムは、外部のコンピュータ読み取り可能な記録媒体４００から植物育成データ作成装置３００へインストールされ、プログラム記憶部ＰＭに記憶されている。植物育成データ作成プログラムは、植物育成者が希望する所望遅延期間だけ植物１の育成期間の終期を遅延させるためのものである。
【００３１】
本実施の形態においては、植物育成データ作成プログラムが標準データ記憶部ＮＤＢに記憶される標準育成条件等のデータおよび遅延データ記憶部ＤＤＢに記憶される遅延育成条件等のデータを含んでいるものとする。
【００３２】
ただし、本実施の形態の植物育成データ作成プログラムは、標準データ記憶部ＮＤＢに記憶される標準育成条件等のデータおよび遅延データ記憶部ＤＤＢに記憶される遅延育成条件等のデータを含んでいなくてもよい。この場合、植物育成データ作成プログラムは、標準データ記憶部ＮＤＢおよび遅延データ記憶部ＤＤＢを備えたデータベースから得られた植物育成データを用いて新育成条件のデータを作成する。つまり、植物育成データ作成装置３００の各部を以下に説明する条件選択部ＣＳおよびデータ作成部ＤＰのそれぞれとして機能させる。この場合、標準データ記憶部ＮＤＢおよび遅延データ記憶部ＤＤＢの所有者と、条件選択部ＣＳおよびデータ作成部ＤＰの所有者とが異なっていてもよい。
【００３３】
標準データ記憶部ＮＤＢは、植物１の標準育成期間のデータ、および、標準育成期間で植物１の育成を実現するための標準育成条件のデータを記憶している。本実施の形態においては、標準データ記憶部ＮＤＢは、標準育成期間と標準育成条件とをデータテーブル形式で記憶している。
【００３４】
遅延データ記憶部ＤＤＢは、それぞれが標準育成期間の終期をいかなる期間だけ遅延させるのかを特定した複数の遅延育成期間のデータ、および、複数の遅延育成期間にそれぞれ対応する複数の遅延育成条件のデータを記憶している。本実施の形態においては、遅延データ記憶部ＤＤＢは、遅延育成期間と遅延育成条件とをデータテーブル形式で記憶している。
【００３５】
条件選択部ＣＳは、複数の遅延育成条件のデータのうちから少なくとも１つの遅延育成条件のデータを選択する。それにより、複数の遅延育成期間から選択された少なくとも１つの遅延育成期間が、入力部３０１によって入力された所望遅延期間または所望遅延期間の前後の選択され得る所望遅延期間に最も近い期間のいずれかになる。
【００３６】
データ作成部ＤＰは、標準育成条件のデータのうちの少なくとも一部が条件選択部ＣＳによって選択された少なくとも１つの遅延育成条件のデータによって置き換えられた新育成条件のデータを作成する。データ作成部ＤＰは、新育成条件をデータテーブル形式で作成する。データ作成部ＤＰは、作成された新育成条件のデータを植物育成装置２００内の環境制御部５０へ送信する。
【００３７】
本実施の形態においては、コンピュータ３０３は、タイマＴを有している。タイマＴは、育成者の入力部３０１の操作によって、植物１の育成が開始された後の所定の時点から計時を開始する。条件選択部ＣＳは、後述されるように、タイマＴが計時する時間に基づいて、現在の育成ステージがいかなる育成ステージであるのかを判定する。
【００３８】
本実施の形態においては、標準育成条件および遅延育成条件からなる植物の育成条件は、上記した環境変更機器によって変更され得るものである。たとえば、植物の育成条件は、植物１の育成空間における雰囲気温度、雰囲気湿度、雰囲気二酸化炭素濃度、および養液濃度の少なくともいずれかである。また、本実施の形態の植物の育成条件は、照射光量、照射光の波長、明期時間、暗期時間、明暗周期、養液（水温）、および電気伝導度（以下、「ＥＣ（Electric Conductivity）値」という。）、およびｐＨ値の少なくともいずれかである。
【００３９】
ただし、植物１の育成条件は、植物１の育成期間の変化に関与する植物１の周辺環境の物性値であれば、上記した物性値以外のいかなる物性値が育成条件として用いられてもよい。たとえば、植物１に潅水することが必要な場合には、植物１の育成条件は、潅水時間および潅水間隔を含んでいる。また、上記以外に、植物１の育成条件として、雰囲気酸素濃度および養液酸素濃度が考えられる。
【００４０】
本実施の形態においては、所望遅延期間は、１日単位の期間であってもよいが、５．５日等の１日単位の期間でなくてもよいとともに、また、２０日〜２２日等の複数日からなる期間であってもよい。
【００４１】
実現される植物１の遅延育成期間を植物１の育成者が希望する所望遅延期間と同一にすることができない場合がある。この場合、所望遅延期間の代わりに、所望遅延期間の前後の選択され得る所望遅延期間に最も近い期間のいずれかの遅延が実現されてもよい。
【００４２】
所望遅延期間の前後の選択され得る所望遅延期間に最も近い期間のいずれかは、次の２つの期間（１）および（２）のうちのいずれか一方である。
【００４３】
（１）  所望遅延期間よりも短くかつ所望遅延期間に最も近い遅延育成期間
（２）  所望遅延期間よりも長くかつ所望遅延期間に最も近い遅延育成期間
たとえば、所望遅延期間が２０日であって、かつ、所望遅延期間の前後の選択され得る所望遅延期間に最も近い期間のいずれかが１８日および２１日である場合がある。この場合、１８日および２１日のいずれを所望遅延期間の前後の選択され得る所望遅延期間に最も近い期間として選択するかは、植物育成データ作成プログラムにおいて予め決定されていてもよい。ただし、１８日および２１日のいずれを所望遅延期間の前後の選択され得る所望遅延期間に最も近い期間として選択するかは、植物１の育成者の入力部３０１の操作によって決定されてもよい。
【００４４】
上記の実施の形態の植物育成データ作成装置３００によれば、植物１の育成の終期を所望の時期まで遅延させることができる。たとえば、ジャガイモの収穫および出荷時期を遅延させることができる。また、たとえば、花を咲かせる植物１の開花時期および出荷時期を所望の時期まで遅延させることができる。
【００４５】
図３に示されるように、条件選択部ＣＳは、ステージ判定部ＳＤ（後述されるステップＳ６参照）を含んでいる。ステージ判定部ＳＤは、現在の育成ステージが予め定められた複数の育成ステージのうちのいずれの育成ステージであるのかを判定する。条件選択部ＣＳは、ステージ判定部ＳＤによって判定された現在の育成ステージ以後の育成ステージに対応する１または２以上の遅延育成期間のデータを参照する。それにより、条件選択部ＣＳは、現在の育成ステージ以後の育成ステージに対応する１または２以上の遅延育成条件のデータから少なくとも１つの遅延育成条件のデータを選択する。そのため、現在の育成ステージが予め定められた複数の育成ステージのいずれの育成ステージである場合にも、現在の育成ステージ以後の植物１の育成の終期を所望の期間だけ遅延させることができる。
【００４６】
図３に示されるように、条件選択部ＣＳは、限界判定部ＬＤ（後述するステップＳ７）を含んでいる。限界判定部ＬＤは、複数の遅延育成条件のそれぞれの通算使用期間が植物１の育成において使用され得る限界期間内のものであるか否かを判定する。また、条件選択部ＣＳは、限界判定部ＬＤによって遅延育成条件の通算使用期間が限界期間内のものであると判定された場合には、優先順位が同一である遅延育成条件のデータを繰り返して選択する。遅延育成条件の優先順位は、植物１の育成により適した遅延育成条件がより上位になるように付されている。そのため、植物１の育成により適した遅延育成条件を最大限度まで長く使用することにより、収穫時期の遅延が植物１の育成に悪影響を及ぼすことを極力抑制することができる。
【００４７】
優先順位の第１位から最下位までの使用可能な遅延育成条件を全て選択したとしても、所望遅延期間が使用可能な遅延育成条件の全てに対応する遅延育成期間の合計期間よりも長い場合がある。この場合には、条件選択部ＣＳは、遅延期間の合計期間を情報報知部３０２に報知させる（後述するステップＳ１８）。これによれば、所望遅延期間の植物の育成の遅延を実現できない場合に、実現可能な遅延育成期間の最大値を植物１の育成者に報知することができる。
【００４８】
（標準データのテーブル）
図４に示されるように、本実施の形態の標準データ記憶部ＮＤＢは、植物１の複数の育成ステージのそれぞれに分けて、複数の標準育成期間のデータ、および、複数の標準育成条件のデータを記憶している。それぞれの育成ステージには、その育成ステージに対応する１つの標準遅延期間および１つの標準遅延条件のみが記憶されている。標準育成期間および育成ステージの数は、植物１の品種に応じて異なる。
【００４９】
ただし、標準データ記憶部ＮＤＢは、１つの育成ステージに対応する１つの標準育成期間および１つの標準育成条件のデータのみを記憶しているものであってもよい。本実施の形態においては、育成ステージのそれぞれにおいて、標準育成期間のデータは、植物１を適切に育成することができる最短育成期間のデータである。
【００５０】
複数の育成ステージは、たとえば、根菜類を栽培する場合、地上部を育てるのに適した時期、栄養体を肥大させる時期、および肥大を開始した栄養体を大きく育てる時期に分けられていてもよい。また、複数の育成ステージは、たとえば、ジャガイモを栽培する場合、栄養生長期、塊茎誘導期、および塊茎肥大期からなる３つのステージに分けられていてもよい。
【００５１】
図４においては、育成条件番号Ｘ，Ｙ，Ｚは、それぞれ、育成ステージ１、２、３に対応している。標準データ記憶部ＮＤＢは、育成ステージ１、２、３ごとに、植物育成条件のデータおよび植物育成期間のデータを記憶している。標準データ記憶部ＮＤＢは、標準育成条件のデータとして、たとえば、植物育成装置２００内の雰囲気温度のデータおよび照明機器３０の明暗周期のデータを記憶している。標準育成条件のうち、たとえば、明暗周期のＬ２１Ｄ３は、明期が２１時間であり、かつ、暗期が３時間であることを意味している。前述したように、植物１の育成条件は、雰囲気温度および明暗周期に限定されず、上記した植物１の育成条件の少なくともいずれか１つであればよい。標準データ記憶部ＮＤＢは、標準育成期間のデータとして、育成ステージ毎に、たとえば、２０日または４０日等の期間を記憶している。本実施の形態においては、標準育成条件として、雰囲気温度および明暗周期が用いられている。しかしながら、使用され得る標準育成条件は、これらに限定されるものではなく、上記した育成条件等、いかなる育成条件が標準育成条件として用いられてもよい。
【００５２】
（遅延データのテーブル）
図５に示されるように、遅延データ記憶部ＤＤＢは、複数の育成ステージのそれぞれ毎に、複数の遅延育成期間のデータのうちの１以上の遅延育成期間のデータを記憶している。また、遅延データ記憶部ＤＤＢは、複数の育成ステージのそれぞれ毎に、複数の遅延育成条件のデータのうちの１以上の遅延育成条件のデータを記憶している。本実施の形態においては、遅延データ記憶部ＤＤＢは、３つの育成ステージのそれぞれ毎に、４種類の遅延育成条件を記憶している。
【００５３】
図５においては、育成条件番号１〜４は、育成ステージ１の遅延育成条件のデータである。育成条件番号５〜８は、育成ステージ２の遅延育成条件のデータである。育成条件番号９〜１２は、育成ステージ３の遅延育成条件のデータである。
【００５４】
遅延データ記憶部ＤＤＢは、育成条件番号ごとに、植物育成条件のデータおよび植物育成期間のデータを記憶している。遅延データ記憶部ＤＤＢは、標準育成条件のデータに対応する遅延植物育成条件のデータとして、たとえば、植物育成装置２００内の雰囲気温度のデータおよび照明機器３０の明暗周期のデータを記憶している。遅延データ記憶部ＤＤＢは、育成条件番号ごとに、所要期間、遅延育成期間、限界期間、および優先順位を記憶している。
【００５５】
所要期間は、遅延育成期間の植物１の育成の遅延を実現するために、標準育成期間のうちのどれだけの期間において、標準育成条件の代わりに遅延育成条件の下で植物１を育成すればよいかを特定した期間である。遅延育成期間は、それに対応する遅延育成条件で植物１を育成することによって、植物１の育成がどれだけ標準育成期間の終期を遅延させることができるのかを特定した期間である。限界期間は、それに対応する遅延育成条件を、植物１の育成に悪影響を与えることなく使用することができる最大期間である。優先順位は、それに対応する遅延育成条件のデータが使用される順番を予め定めた数値である。本実施の形態においては、植物１の育成に与える悪影響がより小さい遅延育成条件から植物１の育成に与える悪影響がより大きい遅延育成条件まで順番に、第１位から最下位までの優先順位が予め定められている。
【００５６】
複数の育成ステージのうちのいずれかの育成ステージの標準育成期間を遅延させる場合を考える。この場合には、条件選択部ＣＳは、そのいずれかの育成ステージの標準育成期間のデータに対応する１以上の遅延育成条件のデータのうちから、実行される遅延育成条件を選択する。本実施の形態の植物育成データ作成装置３００によれば、植物１の育成ステージ毎に準備された遅延育成条件の下で植物１の育成時期の終期を遅延させることができる。したがって、各育成ステージの特性に応じて、植物１の育成ステージ毎に植物１の育成により適した遅延育成条件の下で、植物１の育成期間の終期を遅延させることができる。
【００５７】
遅延データ記憶部ＤＤＢは、複数の育成ステージのそれぞれにおいて、以上の遅延育成期間のデータ、および、２以上の遅延育成条件のデータを記憶している。そのため、植物１の複数の育成ステージのそれぞれ毎に、２以上の遅延育成条件のデータから少なくとも１つの遅延育成条件のデータを選択することができる。その結果、植物１の複数の育成ステージのそれぞれ毎に植物１の育成により適した遅延育成条件のデータを選択することができる。したがって、植物１の複数の育成ステージのそれぞれ毎に、さらに適した遅延育成条件の下で、植物１の育成期間の終期を遅延させることができる。
【００５８】
植物１が、標準育成条件のデータを用いると、標準育成期間Ｘ日の経過後に収穫される場合を考える。この場合、上記の植物育成データ作成装置３００によれば、標準育成条件のデータの一部を遅延育成条件のデータで置き換えた新育成条件のデータを用いる。それにより、遅延育成期間αだけ植物１の育成期間の終期を遅延させることができる。その結果、植物１を新育成期間（Ｘ＋α）日の経過後に収穫することができる。この場合、遅延育成期間αは、遅延育成条件に応じて任意に変更することができる。したがって、たとえば、植物１の育成者が希望するように、植物１の収穫の時期を調整することができる。これによれば、植物１の市場における需要と供給のバランスを考慮して、収穫された植物１を市場に供給することができる。
【００５９】
図５に示されるように、複数の遅延育成条件のデータには、予め定められた優先順位が付与されている。条件選択部ＣＳは、遅延データ記憶部ＤＤＢに記憶された複数の遅延育成条件のデータのうちから少なくとも１つの遅延育成条件のデータを、優先順位にしたがって選択する。本実施の形態においては、植物１の育成により適した遅延育成条件の優先順位をより高く設定している。そのため、条件選択部ＣＳは、植物１の育成により適した遅延育成条件から順番に選択することができる。その結果、育成の遅延が植物１に悪影響を及ぼすことを極力抑制することができる。
【００６０】
（コンピュータにより実行されるアルゴリズムの説明）
次に、図６Ａおよび図６Ｂを用いて、植物育成データ作成装置３００のコンピュータにより実行される新育成条件データテーブル作成処理を説明する。
【００６１】
ステップＳ１において、条件選択部ＣＳは、所望遅延期間が入力部３０１によって入力されたか否かを判定する。条件選択部ＣＳは、所望遅延期間が入力部３０１によって入力されるまで、ステップＳ１の処理を繰り返す。ステップＳ１において、所望遅延期間が入力部３０１によって入力されると、ステップＳ２において、条件選択部ＣＳは、植物１の育成者が入力部３０１を操作することによってコンピュータ３０３へ入力した所望遅延期間を残存遅延期間として一時的に記憶する。
【００６２】
ステップＳ３において、条件選択部ＣＳは、現在の育成ステージの情報を取得する。本実施の形態においては、育成ステージ毎にその開始から終了までの時間の情報が予め実験によって得られているものとする。植物１の育成の開始のときに、植物１の育成者が操作部を操作することにより、コンピュータ３０３内のタイマＴが計時を開始する。その後、条件選択部ＣＳは、タイマＴによって計時されている植物１の育成の開始から経過した時間の情報に基づいて、現在の育成ステージが予め定められた複数の育成ステージのうちのいずれの育成ステージであるのかを判定する。
【００６３】
ただし、植物育成装置２００が植物１の画像データを取得する撮像部を備えている場合がある。この場合、条件選択部ＣＳは、タイマＴの代わりに、撮像部を用いて、現在の育成ステージが予め定められた複数の育成ステージのうちのいずれの育成ステージであるのかを判定してもよい。具体的には、条件選択部ＣＳは、撮像部が撮像した植物１の画像データを受信し、その画像データの処理により、現在の育成ステージが予め定められた複数の育成ステージのうちのいずれの育成ステージであるのかを判定する。
【００６４】
ステップＳ４において、優先順位ｎを数えるカウンタの値を１に設定する。
【００６５】
条件選択部ＣＳは、図５に示される遅延データ記憶部ＤＤＢ内の優先順位が第ｎ位である遅延育成条件を選択する。そのため、ステップＳ５において、条件選択部ＣＳは、カウンタに設定された優先順位ｎに対応する育成条件番号を抽出し、その育成条件番号をデータ作成部ＤＰに記憶させる。
【００６６】
ステップＳ６において、条件選択部ＣＳは、カウンタに設定された優先順位ｎに対応する遅延育成条件を現在の育成ステージ以降の育成ステージで使用できるか否かを判定する。たとえば、カウンタに設定された優先順位ｎに対応する育成ステージが育成ステージ１である場合に、現在の育成ステージが育成ステージ３である場合がある。この場合、その時点では、育成ステージ１の遅延育成条件を使用することはできない。この場合には、条件選択部ＣＳは、ステップＳ１６の処理を実行する。一方、ステップＳ６において、カウンタに設定された優先順位ｎに対応する遅延育成条件が現在の育成ステージ以降の育成ステージで使用できるものであると判定された場合、条件選択部ＣＳは、ステップＳ７の処理を実行する。
【００６７】
具体的には、ステップＳ６において、条件選択部ＣＳは、現在の育成ステージが複数の育成ステージ１〜３のうちのいずれの育成ステージであるのかを判定する。設定された優先順位ｎに対応する育成ステージが現在の育成ステージよりも前の育成ステージである場合がある。この場合、条件選択部ＣＳは、その優先順位ｎに対応する植物育成条件を選択せずに、ステップＳ１６の処理を実行する。ステップＳ１６においては、条件選択部ＣＳは、カウンタに設定されている優先順位ｎを１つ繰り下げる処理（ｎ＝ｎ＋１）を実行する。その後、ステップＳ１７において、条件選択部ＣＳは、優先順位ｎが最下位の数値よりも大きい数値であるか否かを判定する。ステップＳ１７において優先順位ｎが最下位の数値よりも大きい数値であると判定されない限り、条件選択部ＣＳは、次の優先順位の第（ｎ＋１）位の遅延育成条件を選択するか否かを決定するために、ステップＳ５の処理を実行する。一方、ステップＳ１７において優先順位ｎが最下位の数値よりも大きい数値であると判定されると、条件選択部ＣＳは、ステップＳ１８の処理を実行する。
【００６８】
前述のステップＳ６は、図３に示される前述のステージ判定部ＳＤの機能を果たす。ステップＳ６においては、条件選択部ＣＳは、ステージ判定部ＳＤによって判定された現在の育成ステージ以後の育成ステージに対応する遅延育成期間のデータを参照する。
【００６９】
それにより、たとえば、条件選択部ＣＳは、現在の育成ステージが育成ステージ２であれば、図５に示される育成ステージ２および育成ステージ３のそれぞれに対応する８つの植物育成条件のうちから使用され得る植物育成条件を選択する。これによれば、たとえば、現在の育成ステージが既に育成ステージ１が終了し、育成ステージ２の途中であっても、育成ステージ２以後の育成ステージにおいて、植物１の育成の終期を所望遅延期間だけ遅延させることができる。ただし、この場合、育成ステージ２よりも前の育成ステージ１に対応する遅延育成条件を使用することはできない。
【００７０】
ステップＳ７において、条件選択部ＣＳは、複数の遅延育成条件のそれぞれの通算使用期間が、植物１の育成において使用され得る限界期間内のものであるか否かを判定する。ステップＳ７において、優先順位ｎに対応する遅延育成条件の通算使用期間が、植物１の育成において使用され得る限界期間内のものではないと判定される場合がある。この場合には、条件選択部ＣＳは、前述のステップＳ１６およびステップＳ１７の処理を実行する。一方、ステップＳ７において、優先順位ｎに対応する遅延育成条件の通算使用期間が、植物１の育成において使用され得る限界期間内のものであると判定された場合がある。この場合には、条件選択部ＣＳは、次のステップＳ８の処理を実行する。
【００７１】
このステップＳ７は、図３に示される前述の限界判定部ＬＤの機能を果たす。ステップＳ７において、限界判定部ＬＤによって遅延育成条件の通算使用期間が限界期間内のものであると判定された場合がある。この場合には、条件選択部ＣＳは、優先順位が同一である遅延育成条件のデータを繰り返して選択する。たとえば、図５から分かるように、優先順位が第３位である植物育成条件は、遅延育成期間が３日でかつ限界期間が１２日であるため、４回繰り返して使用することが可能である。このように、本実施の形態においては、優先順位がより高くかつ使用可能な遅延育成条件が最大限度まで繰り返して使用される。その結果、収穫時期の遅延が植物１の育成に悪影響を及ぼすことを極力抑制することができる。
【００７２】
ステップＳ８においては、条件判定部ＣＳは、抽出された優先順位ｎに対応する育成条件番号がいずれの育成ステージに属する育成条件番号であるのかを判定する。ステップＳ８においては、条件選択部ＣＳは、育成ステージ毎に、所要期間の合計期間を算出する。所要期間の合計期間は、それぞれの育成ステージ毎の既に使用されることが決定されている少なくとも１つの育成条件番号に対応する所要期間に新たに抽出された１つの育成条件番号に対応する所要期間を加えた値である。条件選択部ＣＳは、その所定期間の合計期間がその遅延育成ステージの標準育成期間内か否かを判定する。ステップＳ８において、所要期間の合計期間がその育成ステージの標準育成期間内でない場合、条件選択部ＣＳは、ステップＳ１６の処理を実行する。
【００７３】
ステップＳ８の処理は、前述の所要期間の合計期間が、いずれか１つの育成ステージの標準育成期間を超えるのであれば、他の育成ステージの遅延育成条件を選択するためのものである。所要期間の合計期間は、既に使用されることが決定されている少なくとも１つの育成条件番号に対応する所要期間の合計期間と新たに抽出された１つの育成条件番号に対応する所要期間との和である。したがって、ステップＳ１６においては、条件選択部ＣＳは、新たな抽出された育成条件番号を使用することなく、他の育成ステージの育成条件番号を選択するか否かを判定するために、カウンタに設定されている優先順位を１つ繰り下げる。それぞれの育成ステージの植物１の育成の遅延のために必要とされる所要期間の合計期間がその育成ステージの標準育成期間を超えていると、植物１の遅延を実現することは本質的にできないからである。
【００７４】
一方、所要期間の合計期間が、その育成ステージの標準育成期間内である場合、条件選択部ＣＳは、ステップＳ９の処理を実行する。
【００７５】
ステップＳ９においては、条件選択部ＣＳは、データ作成部ＤＰに優先順位ｎに対応する育成条件番号を記憶させる。次に、ステップＳ１０において、条件選択部ＣＳは、前回の残存遅延期間Ｘｎ-１から優先順位の第ｎ位に対応する遅延育成期間を引き算することによって、今回の残存遅延期間Ｘｎを算出する。前回の残存遅延期間Ｘｎ-１は、優先順位の第１位〜第ｎ-１位までに対応する育成条件番号から選択された育成条件番号に対応する少なくとも１つの遅延育成期間の合計期間である。今回の残存遅延期間Ｘｎは、優先順位の第１位〜第ｎ位までの育成条件番号から選択された育成条件番号に対応する遅延育成期間の合計期間である。
【００７６】
その後、ステップＳ１１において、条件選択部ＣＳは、残存遅延期間Ｘｎ≦０であるか否かを判定する。ステップＳ１１において、Ｘｎ≦０でないと判定された場合、条件選択部ＣＳは、同一の優先順位ｎの遅延育成条件を再度使用できるか否かを判定するために、ステップＳ７〜ステップＳ１１までの処理を繰り返す。
【００７７】
一方、ステップＳ１１において、Ｘｎ≦０であると判定された場合、条件選択部ＣＳは、ステップＳ１２において、Ｘｎ＝０であるか否かを判定する。つまり、条件選択部ＣＳは、この時点までに選択された遅延育成条件に対応する遅延育成期間の合計期間が入力部３０１によって入力された所望遅延期間と同一になっているか否かを判定する。
【００７８】
ステップＳ１２において、Ｘｎ＝０であると判定された場合、条件選択部ＣＳは、ステップＳ１３の処理を実行する。ステップＳ１３においては、データ作成部ＤＰは、選択された育成条件番号の列に基づいて、標準育成条件のデータと遅延育成条件のデータとを組み合わせて、新育成条件のデータを作成する。具体的には、データ作成部ＤＰは、標準育成条件のデータのうちの少なくとも一部が条件選択部ＣＳによって選択された少なくとも１つの遅延育成条件のデータによって置き換えられた新育成条件のデータを作成する。ステップＳ１４において、データ作成部ＤＰは、植物育成装置２００の新育成条件のデータを環境制御部５０へ送信する。
【００７９】
ステップＳ１２において、Ｘｎ＝０ではないと判定された場合、条件選択部ＣＳは、ステップＳ１５の処理を実行する。ステップＳ１５においては、条件選択部ＣＳは、データ作成部ＤＰに記憶させた優先順位ｎに対応する育成条件番号を削除する。また、ステップＳ１５において、条件選択部ＣＳは、優先順位の第１位から第（ｎ−１）位までの遅延育成条件のうちの選択された遅延育成条件に対応する育成条件番号のみをデータ作成部ＤＰに残存させる。また、ステップＳ１５においては、条件選択部ＣＳは、最後に選択された優先順位ｎに対応する遅延育成期間を残存遅延期間Ｘｎに加えることによって、残存遅延期間をＸｎ-１に戻す。これは、残存遅延期間Ｘｎが負の値になった場合に、次の優先順位（ｎ＋１）以降の遅延育成条件に対応する遅延育成期間のなかに、残存遅延期間Ｘｎ＝０を実現することができる遅延育成条件があるのか否かを判定するためである。
【００８０】
前述のように、ステップＳ１６の処理が繰り返されるごとに、１つずつ優先順位が繰り下げられる。ステップＳ１６の後のステップＳ１７において、優先順位は、さらに繰り下げられると、予め定められていた優先順位の最下位よりも低い優先順位になってしまう場合がある。言い換えると、条件選択部ＣＳは、優先順位の第１位から最下位までの使用可能な遅延育成条件を全て選択したとしても、所望遅延期間の植物１の育成期間の終期の遅延を実現できない場合がある。この場合には、ステップＳ１８において、条件選択部ＣＳは、入力部３０１によって入力された所望遅延期間の遅延を実現することができないことを特定可能な遅延不可能表示を情報報知部３０２に表示させる。たとえば、条件選択部ＣＳは、遅延不可能表示の一例として、実現可能な遅延育成期間のなかから所望遅延期間に最も近い期間を情報報知部３０２に報知させてもよい。これによれば、実現可能な遅延育成期間のうちから所望遅延期間に最も近い期間を植物１の育成者に報知することができる。情報報知部３０２は、本実施の形態において、ディスプレイであるが、スピーカ等の音発生部等であってもよい。
【００８１】
（コンピュータにより実行されるアルゴリズムの変形例１）
図６Ａおよび図６Ｂに示される新育成条件データテーブル作成処理において、条件選択部ＣＳは、破線で囲まれたステップＳ１２およびステップＳ１５の処理を実行しなくてもよい。この場合、ステップＳ１１において、条件選択部ＣＳがＸｎ≦０であると判定した場合、ステップＳ１３において、データ作成部ＤＰは、新条件データテーブルを作成する。つまり、Ｘｎ＜０である場合にも、Ｘｎ＝０である場合と同様に、その時点までに選択された少なくとも１つの育成条件番号にそれぞれ対応する少なくとも１つの遅延育成条件を用いて、データ作成部ＤＰは、新育成条件のデータを作成する。この場合も、データ作成部ＤＰは、標準育成期間のうちの一部の期間の標準育成条件のデータを、選択された少なくとも１つの遅延育成条件のデータで置き換えることにより、新育成条件のデータを作成する。
【００８２】
これによれば、所望遅延期間と完全に同一の遅延育成期間を少なくとも１つの遅延育成期間のデータの組合せによって実現できない場合に利点がある。つまり、選択され得る１以上の遅延育成期間の組合せのうちから、所望遅延期間よりも長くかつ所望遅延期間に最も近い期間を選択し、その期間に対応する新育成条件のデータを作成することができる。
【００８３】
この変形例１においては、優先順位ｎよりも下位の順位の遅延育成条件のうちから、最後の遅延育成条件を選択すれば、遅延育成期間をさらに所望遅延期間に近づけることも可能な場合もある。しかしながら、植物１へ悪影響をより与え難い優先順位がより高い遅延育成条件の組合せを用いて、新育成条件のデータを作成することが望ましい。そのため、選択され得る所望遅延期間に最も近い期間として、最初に、Ｘｎ＜０の要件が満たされたときまでに選択されていた少なくとも１つの遅延育成期間の合計期間を用いている。
【００８４】
（新育成条件のデータの作成方法の一例）
図７には、所望遅延期間が３０日である場合に、遅延育成条件が条件選択部ＣＳによって優先順位にしたがって選択された育成条件番号とそれに対応する選択回数、育成ステージ１〜３のそれぞれの所要期間、および遅延育成期間が示されている。
【００８５】
図７から分かるように、データ作成部ＤＰは、新育成条件のデータとしては、優先順位に対応する少なくとも１つの育成条件番号からなるデータ列を記憶している。なお、図７においては、優先順位は、第１位から第ｎ位まで１つずつ順番に並んでいる例が示されているが、所定の優先順位の遅延育成条件が選択されていない場合もある。この場合、優先順位に欠番がある。
【００８６】
選択回数は、その育成条件番号に対応する遅延育成条件が選択された回数を意味している。この育成条件番号に対応する選択回数と遅延育成期間との乗算により、その優先順位に対応する育成条件番号の遅延育成期間の合計期間が算出される。
【００８７】
育成ステージ１〜３のそれぞれの所要期間は、遅延育成期間の植物１の育成の遅延を実現するために、標準育成期間のうちどれだけの期間を標準育成条件の代わりに遅延育成条件の下で植物１を育成すればよいかを特定した期間である。したがって、育成ステージ１〜３のそれぞれごとの所要期間の合計期間は、それぞれの育成ステージの標準育成期間と同一の期間かまたはそれよりも短い期間になっている。
【００８８】
遅延育成期間は、条件選択部ＣＳによって選択された個々の育成条件番号に対応する遅延育成期間の合計期間である。したがって、本実施の形態においては、育成ステージ１〜３の全ての遅延育成期間の合計期間は、所望遅延期間と同一になっている。ただし、育成ステージ１〜３の全ての遅延育成期間の合計期間は、所望遅延期間より長くかつ所望遅延期間に最も近い期間、および、所望遅延期間より短く所望遅延期間に最も近い期間のいずれかであってもよい。たとえば、図７において、育成ステージ１〜３の全ての遅延育成期間の合計期間は、２９．５日または３０.２５日等であってもよい。
【００８９】
図４に示される標準育成条件のデータのうちのある期間分のデータが、図７に示される育成条件番号の列に対応する図５に示される遅延育成条件のデータの列で置き換えられる。それにより、新育成条件のデータを記憶した新育成条件データテーブルが作成される。
【００９０】
（コンピュータにより実行されるアルゴリズムの変形例２）
図８に示されるように、条件選択部ＣＳは、図６Ｂに示されるステップＳ１２において、Ｘｎ＝０でないと判定した場合、ステップＳ１５の代わりにステップＳ１５Ａを実行してもよい。この場合、条件選択部ＣＳは、ステップＳ１５Ａにおいては、データ作成部ＤＰに記憶された育成条件番号の列の最後に選択された育成条件番号を削除するだけである。ステップＳ１５Ａの処理が実行された後、ステップＳ１３において、データ作成部ＤＰは、新条件データテーブルを作成する。つまり、データ作成部ＤＰは、Ｘｎ＜０である場合には、Ｘｎ＝０である場合とは異なった処理により、新育成条件のデータを作成する。具体的には、データ作成部ＤＰは、第１位から第（ｎ−１）位までの優先順位に対応する育成条件番号のうちから選択された少なくとも１つの育成条件番号にそれぞれ対応する少なくとも１つの遅延育成条件を用いて、新育成条件のデータを作成する。この場合も、データ作成部ＤＰは、標準育成期間のうちの一部の期間の標準育成条件のデータを、選択された少なくとも１つの遅延育成条件のデータで置き換えることにより、新育成条件のデータを作成する。
【００９１】
これによっても、所望遅延期間と完全に同一の期間の植物１の育成の遅延を少なくとも１つの遅延育成期間の組合せによって実現できない場合にも、新育成条件のデータを作成することができる。特に、選択され得る１以上の遅延育成期間の組合せのうちから、所望遅延期間よりも短くかつ所望遅延期間に最も近い期間を選択し、その期間に対応する新育成条件のデータを作成することができる。
【００９２】
この変形例２においても、優先順位ｎよりも下位の順位の遅延育成条件のうちから、最後の遅延育成条件を選択すれば、遅延育成期間をさらに所望遅延期間に近づけることも可能な場合もある。しかしながら、前述のように、植物１へ悪影響をより与え難い優先順位がより高い遅延育成条件の組合せを用いて、新育成条件のデータを作成することが望ましい。そのため、選択され得る所望遅延期間に最も近い期間として、最初に、Ｘｎ＜０の要件が満たされたときの前回の育成条件番号の選択のときまでに選択されていた少なくとも１つの遅延育成期間の合計期間を用いている。
【００９３】
（コンピュータにより実行されるアルゴリズムの変形例３）
図９に示されるように、ステップＳ１２において、Ｘｎ＝０ではないと判定された場合、条件選択部ＣＳは、ステップＳ１５Ｂの処理を実行してもよい。この場合、条件選択部ＣＳは、優先順位ｎに対応する最後に選択された育成条件番号と優先順位の第１位から第（ｎ−１）位までの育成条件番号のうちから選択された育成条件番号とをそれぞれデータ作成部ＤＰの別領域に一時的に記憶させる。また、ステップＳ１５Ｂにおいては、条件選択部ＣＳは、最後に選択された育成条件番号に対応する遅延育成期間を残存遅延期間Ｘｎに加えることにより、残存遅延期間をＸｎ-１の状態に戻す。これは、前述の変形例１と同様に、次の優先順位（ｎ＋１）以降の育成条件番号に対応する遅延育成期間のなかに、Ｘｎ＝０にすることができる遅延育成条件があるのか否かを判定するためである。
【００９４】
図９に示される変形例３においても、ステップＳ１７において、優先順位は、さらに繰り下げられると、予め定められていた優先順位の最下位よりも低い優先順位になってしまう場合がある。この場合には、条件選択部ＣＳは、ステップＳ１８Ａを実行する。ステップＳ１８Ａにおいては、データ作成部ＤＰの別領域に記憶された複数の育成条件番号のうちから残存遅延期間Ｘｎがゼロ（０）に最も近くなる育成条件番号を最後の育成条件番号として選択する。このとき、Ｘｎがゼロに最も近くなる育成条件番号は、残存遅延期間Ｘｎが正の値である場合および残存遅延期間Ｘｎが負の値である場合の２つの育成条件番号がある。そのため、残存遅延期間Ｘｎが正の値である場合と残存遅延期間Ｘｎが負の値である場合とのいずれの場合における育成条件番号を選択するかは、予め定められている。ただし、入力部３０１によって入力された育成者の希望に応じて、残存遅延期間Ｘｎが正の値である場合と残存遅延期間Ｘｎが負の値である場合とのいずれの場合における育成条件番号を選択するかが決定されてもよい。
【００９５】
その後、ステップＳ１３において、データ作成部ＤＰは、ステップＳ９が実行される毎に記憶された少なくとも１つの育成条件番号と、ステップＳ１８Ａにおいて記憶された最後の１つの育成条件番号とをまとめて、育成条件番号の列を作成する。データ作成部ＤＰは、まとめられた育成条件番号の列を用いて、標準育成期間のうちの一部の期間の標準育成条件のデータを、選択された少なくとも１つの遅延育成条件のデータで置き換えることにより、新育成条件のデータを作成する。
【００９６】
図６Ａおよび図６Ｂに示されるアルゴリズムによれば、選択され得る少なくとも１つの遅延育成条件にそれぞれ対応する少なくとも１つの遅延育成期間の合計期間が所望遅延期間と同一にならない場合がある。この場合、図６Ａおよび図６Ｂに示されるアルゴリズムによれば、条件選択部ＣＳは、育成者に新たな所望遅延期間を入力させることを促すための報知を情報報知部３０２にさせる。しかしながら、図９に示されるアルゴリズムによれば、少なくとも１つの遅延育成期間の合計期間が所望遅延期間と同一にならない場合においては、少なくとも１つの遅延育成期間の合計期間として所望遅延期間に最も近い期間を選択することができる。
【００９７】
この場合も、条件選択部ＣＳは、所望遅延期間よりも短くかつ所望遅延期間に最も近い遅延育成期間、および、所望遅延期間よりも長くかつ所望遅延期間に最も近い遅延育成期間のうちから予め定められた一方を選択してもよい。また、入力部３０１の操作によって、所望遅延期間よりも短くかつ所望遅延期間に最も近い遅延育成期間、および、所望遅延期間よりも長くかつ所望遅延期間に最も近い遅延育成期間のうちのいずれか一方が選択されてもよい。
【００９８】
（その他の変形例）
複数の遅延育成条件のデータが、それぞれの優先順位が同一である２種類以上の遅延育成条件のデータを有している場合がある。たとえば、第３位−１（サブ優先順位第１位）、第３位−２（サブ優先順位第２位）、第３位−３（サブ優先順位第３位）等のように、同一優先順位の複数の遅延育成条件のデータにさらにサブ優先順位が付されている場合がある。同一優先順位の遅延育成条件のデータは、植物１の育成に適している程度が同一である。また、サブ優先順位は、予め決められていている。ただし、サブ優先順位は、乱数を発生させるカウンタ等によって、その都度、ランダムに決定されてもよい。
【００９９】
この場合にも、条件選択部ＣＳは、複数の遅延育成条件のデータのうちから少なくとも１つの遅延育成条件のデータを、第１位から最下位まで、基本となる優先順位にしたがって抽出する。その中で、基本となる優先順位が同一である複数の遅延育成条件のデータがある場合には、サブ優先順位にしたがって、サブ優先順位の第１位から最下位まで、１つずつ遅延育成条件が抽出される。つまり、条件選択部ＣＳは、それぞれの優先順位が同一である２種類以上の遅延育成条件のデータのうちから１つずつサブ優先順位にしたがって遅延育成条件のデータを抽出する。このように、それぞれの優先順位が同一である複数の遅延育成条件のデータがある場合には、できる限りサブ優先順位が異なる遅延育成条件のデータを優先して使用する。これは、植物１の育成に適している程度が同一であるのであれば、できる限り同一の遅延育成条件を繰り返して使用しないことが好ましい場合があるためである。
【０１００】
その後、複数の遅延育成期間から抽出された少なくとも１つの遅延育成期間が、入力部３０１によって入力された所望遅延期間または所望遅延期間の前後の選択され得る所望遅延期間に最も近い期間のいずれかになるか否かが判定される。この場合においては、条件選択部ＣＳは、サブ優先順位の第１位から最下位までの遅延育成条件のデータの抽出の１サイクルが終了するごとに、限界判定部ＬＤによる判定を実行する。つまり、条件選択部ＣＳは、同一のサブ優先順位の遅延育成条件のデータを、複数回選択することはあっても、それを連続して選択しない。ただし、この場合も、条件選択部ＣＳは、それぞれの遅延育成条件の通算使用期間が限界期間内のものであると判定された場合には、サブ優先順位が同一である遅延育成条件のデータを繰り返して選択する。つまり、条件選択部ＣＳは、それぞれの優先順位が同一である２種類以上の遅延育成条件のデータのそれぞれを少なくとも１回選択した後に、次の優先順位の遅延育成条件のデータを選択するか否かを判定する。
【０１０１】
（実施の形態の特徴的構成および効果）
以下、本実施の形態の植物育成データ作成装置３００、植物育成システム１０００、および植物育成データ作成プログラムの特徴的構成とそれにより得られる効果を記載する。
【０１０２】
（１）  実施の形態の植物育成データ作成装置３００は、標準データ記憶部ＮＤＢ、遅延データ記憶部ＤＤＢ、条件選択部ＣＳ、およびデータ作成部ＤＰを備えている。標準データ記憶部ＮＤＢは、植物１の標準育成期間のデータ、および、標準育成期間で植物１の育成を実現するための標準育成条件のデータを記憶している。遅延データ記憶部ＤＤＢは、それぞれが標準育成期間の終期をいかなる期間だけ遅らせるのかを特定した複数の遅延育成期間のデータ、および、複数の遅延育成期間にそれぞれ対応する複数の遅延育成条件のデータを記憶している。条件選択部ＣＳは、複数の遅延育成条件のデータのうちから少なくとも１つの遅延育成条件のデータを選択する。それにより、複数の遅延育成期間から選択された少なくとも１つの遅延育成期間が、入力部３０１によって入力された所望遅延期間または所望遅延期間の前後の選択され得る所望遅延期間に最も近い期間のいずれかになる。データ作成部ＤＰは、標準育成条件のデータのうちの少なくとも一部が条件選択部ＣＳによって選択された少なくとも１つの遅延育成条件のデータによって置き換えられた新育成条件のデータを作成する。
【０１０３】
上記の構成によれば、所望遅延期間だけ植物１の育成を遅延させることができる。
【０１０４】
（２）  実施の形態の植物育成データ作成装置３００は、標準データ記憶部ＮＤＢ、遅延データ記憶部ＤＤＢおよび条件選択部ＣＳを備えたデータベースから得られた植物育成データを用いて新たな植物育成データを作成するものである。標準データ記憶部ＮＤＢは、植物１の標準育成期間のデータ、および、標準育成期間で植物１の育成を実現するための標準育成条件のデータを記憶している。遅延データ記憶部ＤＤＢは、それぞれが標準育成期間の終期をいかなる期間だけ遅らせるのかを特定した複数の遅延育成期間のデータ、および、複数の遅延育成期間にそれぞれ対応する複数の遅延育成条件のデータを記憶している。植物育成データ作成装置３００は、データ作成部ＤＰを備えている。条件選択部ＣＳは、複数の遅延育成条件のデータのうちから少なくとも１つの遅延育成条件のデータを選択する。それにより、複数の遅延育成期間から選択された少なくとも１つの遅延育成期間が、入力部３０１によって入力された所望遅延期間または所望遅延期間の前後の選択され得る所望遅延期間に最も近い期間のいずれかになる。データ作成部ＤＰは、標準育成条件のデータのうちの少なくとも一部が条件選択部ＣＳによって選択された少なくとも１つの遅延育成条件のデータによって置き換えられた新育成条件のデータを作成する。
【０１０５】
上記の構成によれば、所望遅延期間だけ植物１の育成を遅延させることができる。
【０１０６】
（３）  標準データ記憶部ＮＤＢは、植物１の複数の育成ステージのそれぞれに分けて、複数の標準育成期間のデータ、および、複数の標準育成条件のデータを記憶していてもよい。この場合、遅延データ記憶部ＤＤＢは、複数の育成ステージのそれぞれ毎に、複数の遅延育成期間のデータのうちの１以上の遅延育成期間のデータ、および、複数の遅延育成条件のデータのうちの１以上の遅延育成条件のデータを記憶している。また、条件選択部ＣＳは、複数の育成ステージのうちのいずれかの育成ステージの標準育成期間を遅延させる場合がある。この場合には、条件選択部ＣＳは、前述のいずれかの育成ステージの標準育成期間のデータに対応する１以上の遅延育成条件のデータのうちから、遅延育成条件を選択する。
【０１０７】
上記の構成によれば、植物１の育成ステージ毎に予め準備された遅延育成条件で植物１の育成を遅延させることができる。したがって、植物１の育成ステージ毎に植物１の育成により適した遅延育成条件で植物１の育成を遅延させることができる。
【０１０８】
（４）  条件選択部ＣＳは、現在の育成ステージが複数の育成ステージのうちのいずれの育成ステージであるのかを判定するステージ判定部ＳＤを含んでいることが好ましい。この場合、条件選択部ＣＳは、ステージ判定部ＳＤによって判定された現在の育成ステージ以後の育成ステージに対応する１または２以上の遅延育成条件のデータのうちから前述の少なくとも１つの遅延育成条件のデータを選択する（ステップＳ６）。
【０１０９】
上記の構成によれば、現在の育成ステージが複数の育成ステージのいずれの育成ステージである場合にも、現在の育成ステージ以後の植物１の育成を遅延させることができる。
【０１１０】
（５）  複数の遅延育成条件のデータには、予め定められた優先順位が付与されていることが好ましい。この場合、条件選択部ＣＳは、複数の遅延育成条件のデータのうちから少なくとも１つの遅延育成条件のデータを、優先順位にしたがって選択する。
【０１１１】
上記の構成によれば、植物１の育成により適した遅延育成条件の優先順位をより高く設定しておけば、条件選択部ＣＳは、植物１の育成により適した遅延育成条件から順に選択することができる。そのため、育成の遅延が植物１に悪影響を及ぼすことを極力抑制することができる。
【０１１２】
（６）  複数の遅延育成条件のデータは、それぞれの優先順位が同一である２種類以上の遅延育成条件のデータを含み、条件選択部ＣＳは、２種類以上の遅延育成条件データのそれぞれを順次選択するように構成されていてもよい。
【０１１３】
上記の構成によれば、同一優先順位の複数の遅延育成条件のデータがある場合に、異なる種類の遅延育成条件のデータを極力使用することができる。これは、同一種類の遅延育成条件のデータを繰り返して使用することを避けることが好ましい場合に利点を有している。
【０１１４】
（７）  条件選択部ＣＳは、遅延育成条件の通算使用期間が、植物１の育成において使用され得る限界期間内のものであるか否かを判定する限界判定部ＬＤ（ステップＳ７）を含んでいることが好ましい。この構成において、条件選択部ＣＳは、限界判定部ＬＤによって遅延育成条件の通算使用期間が限界期間内のものであると判定された場合には、優先順位が同一である遅延育成条件のデータを繰り返して選択する。
【０１１５】
上記の構成によれば、優先順位がより高くかつ使用可能な遅延育成条件が最大限度まで繰り返して使用される。その結果、収穫時期の遅延が植物１の育成に悪影響を及ぼすことを極力抑制することができる。
【０１１６】
（８）  実施の形態の植物育成システム１０００は、少なくとも１つの環境制御部５０と、少なくとも１つの環境変更機器（３０，３５，４０，４５，６０，６５，７０，８０，９０，９５，９８，Ｂ，Ｐ）とを備える。少なくとも１つの環境制御部５０のそれぞれは、上記した植物育成データ作成装置３００によって作成された新育成条件のデータを受信する。また、前述の少なくとも１つの環境変更機器は、少なくとも１つの環境制御部５０にそれぞれ対応して設けられている。少なくとも１つの環境変更機器のそれぞれは、新育成条件のデータに基づいて環境制御部５０によって制御される。それにより、少なくとも１つの環境変更機器のそれぞれは、少なくとも１つの植物１の周辺の環境を変更する。
【０１１７】
上記の構成によれば、少なくとも１つの植物１の育成期間の終期を、標準育成期間の終期よりも所望遅延期間だけ後の時期まで遅延させることができる。
【０１１８】
（９）  少なくとも１つの植物１のそれぞれは、根菜類であり、前述の少なくとも１つの環境変更機器は、それぞれ、根菜類の根４が栽培槽に貯留された水または養液９に浸された状態で、根菜類を水耕栽培するためのものであってもよい。
【０１１９】
これによれば、土耕栽培に比較して植物１の育成を管理することが容易な水耕栽培において、植物１の育成期間の終期を標準育成期間の終期よりも所望遅延期間だけ後の時期まで遅延させることができる。したがって、所望遅延期間の植物１の育成の遅延の実現可能性が高い。
【０１２０】
（１０）  実施の形態の植物育成データ作成プログラムは、コンピュータを上記した植物育成データ作成装置３００の各部として、機能させるものである。この構成によれば、植物育成データ作成プログラムが標準データ記憶部ＮＤＢおよび遅延データ記憶部ＤＤＢを備えている。そのため、標準データ記憶部ＮＤＢおよび遅延データ記憶部ＤＤＢとして機能する他のデータベースを利用する必要がない。
【０１２１】
（１１）  実施の形態の植物育成データ作成プログラムは、標準データ記憶部ＮＤＢおよび遅延データ記憶部ＤＤＢを備えたデータベースから得られた植物育成データを用いて新たな植物育成データを作成するための植物育成データ作成プログラムであってもよい。この場合、実施の形態の植物育成データ作成プログラムは、コンピュータを上記した植物育成データ作成装置３００うちの条件選択部ＣＳおよびデータ作成部ＤＰのそれぞれとして機能させるものである。この構成によれば、他のデータベースの標準データ記憶部ＮＤＢおよび遅延データ記憶部ＤＤＢを利用する。そのため、植物育成データ作成プログラム自身が標準データ記憶部ＮＤＢおよび遅延データ記憶部ＤＤＢを記憶する必要がない。
本出願は、２０１５年５月７日に出願された日本出願の特願２０１５−０９５０６５号に基づく優先権を主張し、当該日本出願に記載された全ての記載内容を参照によって援用するものである。
【符号の説明】
【０１２２】
１  植物
５０  環境制御部
３００  植物育成データ作成装置
１０００  植物育成システム
ＮＤＢ  標準データ記憶部
ＤＤＢ  遅延データ記憶部
ＣＳ  条件選択部
ＤＰ  データ作成部
３０，３５，４０，４５，６０，６５，７０，８０，９０，９５，９８，Ｂ，Ｐ  環境変更機器
【図１】
2016178314.tif 000003
【図２】
2016178314.tif 000004
【図３】
2016178314.tif 000005
【図４】
2016178314.tif 000006
【図５】
2016178314.tif 000007
【図６Ａ】
2016178314.tif 000008
【図６Ｂ】
2016178314.tif 000009
【図７】
2016178314.tif 000010
【図８】
2016178314.tif 000011
【図９】
2016178314.tif 000012
【国際調査報告】
2016178314.tif 000013
2016178314.tif 000014